(57)【要約】【課題】２つの遅延されたＦＭ変調信号間において、遅延時間の差の温度変動を低減する。【解決手段】ＦＭ復調回路４は、子器から入力されたＦＭ変調信号を２つの経路に分岐する。２つの遅延回路４０，４１は、ＯＲ回路４００，４１０によりＦＭ変調信号を増幅し、異なるパラメータを有する遅延素子４０３，４１３によりＦＭ変調信号を遅延し、２つの遅延されたＦＭ変調信号を位相検波回路４２に出力する。位相検波回路４２は、２つの遅延されたＦＭ変調信号間の遅延時間の差に基づく位相差を利用して位相検波を行い、検波信号をＬＰＦ回路４３に出力する。ＬＰＦ回路４３は、検波信号の高周波成分を除去し、ＦＭ復調信号として表示回路に出力する。【選択図】図１
2006304218.tif 000002
【特許請求の範囲】
【請求項１】
２つの入力信号に対して位相検波を行う位相検波回路を備えるとともに、
ＦＭ変調信号を遅延する遅延素子を設け、遅延されたＦＭ変調信号を前記入力信号として前記位相検波回路に出力する遅延回路を、略同一の回路構成を有して２つ並列に備え、
前記２つの遅延回路が、前記２つの遅延素子により前記２つの遅延されたＦＭ変調信号間に、予め決められた遅延時間の差を設定する
ことを特徴とするＦＭ復調回路。
【請求項２】
前記２つの遅延回路が、略同一のバッファ機能を有する半導体素子をそれぞれに設けることを特徴とする請求項１記載のＦＭ復調回路。
【発明の詳細な説明】
【技術分野】
【０００１】
本発明は、ＦＭ変調信号を復調するＦＭ復調回路に関するものである。
【背景技術】
【０００２】
従来、この種のＦＭ復調回路は、特許文献１に開示されているように、例えば、映像や音声を、離れた場所に伝送し、報知するインターホンシステム（テレビドアホン装置）等に用いられる。上記従来のＦＭ復調回路では、ＦＭ変調信号を復調する際に、回路構成やＩＣ化の容易性の点から遅延位相検波方式がよく用いられる。遅延位相検波方式は、ＶＴＲ（ビデオテープレコーダ）等で一般的に利用されている実績があり、ＦＭ変調信号が復調される帯域において直線性に優れている。
【０００３】
次に、従来のＦＭ復調回路の構成について図５を用いて説明する。図５は、従来のＦＭ復調回路の構成を示すブロック図である。従来のＦＭ復調回路５は、ＦＭ変調信号を２つの経路に分岐し、一の経路ではＦＭ変調信号を、遅延回路５０で遅延させてから位相検波回路５１に出力し、他の経路ではＦＭ変調信号を直接、位相検波回路５１に出力する。位相検波回路５１は、遅延位相検波方式により、一の経路からの遅延されたＦＭ変調信号と他の経路からのＦＭ変調信号との間に発生する時間差に基づく位相差を利用して位相検波（遅延検波）を行い、検波信号をＬＰＦ（ローパスフィルタ）回路５２に出力する。
【特許文献１】特開２００１−２６８５５９号公報（第２頁−第６頁及び第１図）
【発明の開示】
【発明が解決しようとする課題】
【０００４】
しかしながら、上記従来のＦＭ復調回路は、温度特性を有する遅延回路を一の経路のみに備えているので、遅延回路により遅延されたＦＭ変調信号の遅延時間が温度により大きく変動するという問題があった。これにより、ＦＭ復調信号の振幅が大きく変動し、ＦＭ復調信号に基づく映像信号のＳ／Ｎ比の劣化や同期外れが多く発生した。
【０００５】
本発明は上記の点に鑑みて為されたものであり、その目的とするところは、２つの遅延されたＦＭ変調信号間において、遅延時間の差の温度変動を低減することができるＦＭ復調回路を提供することにある。
【課題を解決するための手段】
【０００６】
請求項１に記載の発明は、２つの入力信号に対して位相検波を行う位相検波回路を備えるとともに、ＦＭ変調信号を遅延する遅延素子を設け、遅延されたＦＭ変調信号を前記入力信号として前記位相検波回路に出力する遅延回路を、略同一の回路構成を有して２つ並列に備え、前記２つの遅延回路が、前記２つの遅延素子により前記２つの遅延されたＦＭ変調信号間に、予め決められた遅延時間の差を設定することを特徴とする。
【０００７】
この構成では、２つの遅延されたＦＭ変調信号間において、遅延回路に起因する温度変動を相殺することができるので、遅延時間の差の温度変動を低減することができる。
【０００８】
請求項２に記載の発明は、請求項１に記載の発明において、前記２つの遅延回路が、略同一のバッファ機能を有する半導体素子をそれぞれに設けることを特徴とする。この構成では、２つの半導体素子間のバラツキを低減することができるので、２つの遅延されたＦＭ変調信号間において、遅延時間の差の温度変動をさらに低減することができる。
【発明の効果】
【０００９】
本発明によれば、２つの遅延されたＦＭ変調信号間において、遅延時間の差の温度変動を低減することができる。
【発明を実施するための最良の形態】
【００１０】
（実施形態１）
本発明の実施形態１について図１，２を用いて説明する。図１は、実施形態１のＦＭ復調回路の構成を示すブロック図である。図２は、実施形態１のインターホンシステムの構成を示すブロック図である。
【００１１】
先ず、実施形態１の基本的な構成について説明する。実施形態１のインターホンシステムは、映像や音声を、離れた場所に伝送し、報知するものであり、図２に示すように、子器１と、親機２とを備え、上記子器１と親機２とを伝送線路３により接続している。伝送線路３は、例えば、１対のインターホン線やＣＰＥＶ線、ＬＡＮ（Ｌｏｃａｌ  Ａｒｅａ  Ｎｅｔｗｏｒｋ）に用いられるＣＡＴ５ケーブル等で構成される平衡伝送線路である。
【００１２】
子器１は、例えば玄関に設置されるカメラ付ドアホン等であり、来訪者をカメラで撮影する。上記子器１は、カメラで撮影された映像の映像信号をＦＭ変調し、ＦＭ変調信号を親機２に伝送する。上記映像信号は、例えば、ＮＴＳＣ（Ｎａｔｉｏｎａｌ  Ｔｅｌｅｖｉｓｉｏｎ  Ｓｔａｎｄａｒｄ  Ｃｏｍｍｉｔｅｅ：ＥＩＡ  ＲＳ−１７０Ａ規格、コンポジット信号）信号やＰＡＬ（Ｐｈａｓｅ  Ａｌｔｅｒｎａｔｉｎｇ  Ｌｉｎｅ）信号等である。
【００１３】
親機２は、子器１から離れた場所（例えば居室等）に設置される画像インターホン機器等であり、ＦＭ復調回路４と、表示回路２０と、ＣＰＵ（図示せず）とを備えている。なお、ＣＰＵは、親機２全体を制御するものである。
【００１４】
ＦＭ復調回路４は、図１に示すように、２つの遅延回路４０，４１と、位相検波回路４２と、ＬＰＦ（ローパスフィルタ）回路４３とを備えている。上記ＦＭ復調回路４は、子器１（図２参照）からＦＭ変調信号を入力し、上記ＦＭ変調信号を２つの経路に分岐し、一の経路ではＦＭ変調信号を、遅延回路４０を介して位相検波回路４２に出力し、他の経路ではＦＭ変調信号を、遅延回路４１を介して位相検波回路４２に出力する。
【００１５】
遅延回路４０は、ＦＭ変調信号の入力側から順に、ＯＲ回路４００と、積分回路４０１とを備えている。また、遅延回路４１は、遅延回路４０と略同一の回路構成を有し、ＦＭ変調信号の入力側から順に、ＯＲ回路４１０と、積分回路４１１とを備え、遅延回路４０と並列に設けられている。
【００１６】
ＯＲ回路４００，４１０は、略同一の温度特性を有する半導体素子で構成されている。上記ＯＲ回路４００，４１０は、ＦＭ変調信号に対して略同一のバッファ機能を有する。具体的には、ＯＲ回路４００，４１０は、ＦＭ変調信号を子器１（図２参照）から入力し、入力されたＦＭ変調信号の振幅が小さい場合に、上記ＦＭ変調信号を増幅させて積分回路４０１，４１１に出力する。また、ＯＲ回路４００，４１０は、容易にＩＣ化されている。具体的には、同一のＩＣパッケージ（ウエハ）内に例えば３，４，６個と複数設けられるロジックＩＣが用いられている。同一のＩＣパッケージ内で近接するロジックＩＣ間の特性ばらつきが非常に小さいので、ＩＣパッケージの個体差や製造時期、ロット等が異なる場合とは異なり、ロジックＩＣの最大定格に相当するばらつきを見込む必要がなく、ＯＲ回路４００，４１０の特性ばらつきを大幅に低減することができる。これにより、ＯＲ回路４００とＯＲ回路４１０との間に発生する温度変動を、ほぼ相殺することができる。
【００１７】
積分回路４０１は、ＦＭ変調信号の入力側から順に、抵抗４０２と、遅延素子（遅延時間調整用素子）４０３とを備えている。また、積分回路４１１も、積分回路４０１と略同一の回路構成を有し、ＦＭ変調信号の入力側から順に、抵抗４１２と、遅延素子４１３とを備えている。抵抗４０２，４１２は、略同一の温度特性を有し、一端でＯＲ回路４００，４１０と接続し、他端で遅延素子４０３，４１３と接続している。
【００１８】
遅延素子４０３，４１３は、例えばコンデンサ等であり、一端で抵抗４０２，４１２と接続し、他端で接地している。上記遅延素子４０３と遅延素子４１３とは、略同一の温度特性を有するが、パラメータの異なる素子である。具体的には、遅延素子４０３，４１３がコンデンサである場合、遅延素子４０３は遅延素子４１３と異なる容量を有する。
【００１９】
上記抵抗４０２，４１２及び遅延素子４０３，４１３より、積分回路４０１と積分回路４１１との間に発生する温度変動は、ほぼ相殺される。
【００２０】
上記のような構成の２つの遅延回路４０，４１は、２つの遅延素子４０３，４１３により、子器１から入力されたＦＭ変調信号を遅延し、２つの遅延されたＦＭ変調信号間に、予め決められた遅延時間の差を設定し、上記２つの遅延されたＦＭ変調信号を位相検波回路４２に出力する。この場合に、２つの遅延されたＦＭ変調信号間における遅延時間の差の温度変動を格段に低減することができる。また、同一のＩＣパッケージ内に設けられているロジックＩＣをＯＲ回路４００，４１０として用いているので、遅延回路４０，４１を容易に構成することができる。
【００２１】
位相検波回路４２は、ロジックＩＣのＸＯＲ（ｅＸｃｌｕｓｉｖｅ  ＯＲ：排他的論理和）回路で構成され、遅延回路４０，４１のそれぞれから、遅延されたＦＭ変調信号を入力する。２つの遅延されたＦＭ変調信号間には遅延時間の差があるので、上記位相検波回路４２は、遅延位相検波方式により、２つの遅延されたＦＭ変調信号間の位相差を利用して位相検波を行い、上記位相検波に基づく検波信号をＬＰＦ回路４３に出力する。
【００２２】
ＬＰＦ回路４３は、例えば、検波信号の入力側から順に、抵抗（図示せず）と、コンデンサ（図示せず）とを備えるＲＣ回路等であり、位相検波回路４２から入力された検波信号を積分して検波信号の高周波成分を除去し、ＦＭ復調信号として表示回路２０（図２参照）に出力する。
【００２３】
表示回路２０は、図２に示すように、例えばＬＣＤ（Ｌｉｑｕｉｄ  Ｃｒｙｓｔａｌ  Ｄｉｓｐｌａｙ）等の表示画面（図示せず）を備え、ＦＭ復調回路４のＬＰＦ回路４３から入力されたＦＭ復調信号に基づく映像信号により、子器１の撮影映像及び付加表示を表示画面に表示する。
【００２４】
次に、実施形態１のインターホンシステムの動作について説明する。先ず、図２に示すように、子器１が、カメラで撮影された映像に基づくＦＭ変調信号を親機２に伝送する。次に、ＦＭ復調回路４が、図１に示すように、子器１（図２参照）から入力されたＦＭ変調信号を２つの経路に分岐する。２つの遅延回路４０，４１が、分岐されたＦＭ変調信号をそれぞれ入力し、ＯＲ回路４００，４１０により上記ＦＭ変調信号を増幅し、遅延素子４０３，４１３により上記ＦＭ変調信号を遅延し、遅延されたＦＭ変調信号を位相検波回路４２に出力する。位相検波回路４２が、２つの遅延されたＦＭ変調信号間の位相差を利用して位相検波を行い、検波信号をＬＰＦ回路４３に出力する。ＬＰＦ回路４３が、検波信号の高周波成分を除去し、ＦＭ復調信号として表示回路２０（図２参照）に出力する。続いて、表示回路２０が、図２に示すように、上記ＦＭ復調信号に基づく映像信号により、子器１の撮影映像及び付加表示を表示画面（図示せず）に表示する。
【００２５】
以上、実施形態１によれば、２つの遅延回路４０，４１のそれぞれの遅延素子４０３，４１３により、子器１から入力されたＦＭ変調信号を遅延し、２つの遅延されたＦＭ変調信号間に、予め決められた遅延時間の差を設定することができ、２つの遅延されたＦＭ変調信号間において、遅延回路４０，４１に起因する温度変動を相殺することができるので、遅延時間の差の温度変動を低減することができる。また、２つのＯＲ回路４００，４１０間のバラツキを低減することができるので、上記遅延時間の差の温度変動をさらに低減することができる。これにより、ＦＭ復調信号の振幅の変動を低減し、ＦＭ復調信号に基づく映像信号のＳ／Ｎ比の劣化や同期外れを低減することができる。
【００２６】
さらに、上記遅延時間の差の温度変動を低減することにより、例えばＦＭ復調信号を調整するための可変抵抗等を備える必要がなく、製造時の調整工程も必要がないので、ＦＭ復調回路４を安価に製造することができる。これにより、インターホンシステムを安価に構築することができる。
【００２７】
なお、実施形態１の変形例として、遠隔地に映像を伝送する他のシステムであってもよく、例えば監視カメラシステム等であってもよい。上記他のシステムにおいても実施形態１と同様に、監視室等のモニタ機器から離れた監視カメラ等の子器で撮影された映像に基づくＦＭ変調信号をモニタ機器に伝送し、上記モニタ機器でＦＭ復調する。このようなシステムであっても、実施形態１と同様の効果を得ることができる。
【００２８】
（実施形態２）
本発明の実施形態２について図３を用いて説明する。図３は、実施形態２のＦＭ復調回路の要部構成を示すブロック図である。なお、図３のＡ１及びＡ２は、図１のＡ１及びＡ２で位相検波回路４２（図１参照）と接続する。
【００２９】
実施形態２のインターホンシステムは、実施形態１のインターホンシステムと同様に、子器１（図２参照）と、親機２（図２参照）とを備えている。実施形態２の親機２において、ＦＭ復調回路４ａは、実施形態１のＦＭ復調回路４（図１参照）と同様に、位相検波回路４２（図１参照）と、ＬＰＦ回路４３（図１参照）とを備えているが、実施形態１のＦＭ復調回路４にはない以下に記載の特徴部分がある。
【００３０】
実施形態２のＦＭ復調回路４ａは、図３に示すような遅延回路４０ａ，４１ａを備えている。上記遅延回路４０ａ，４１ａは、ＯＲ回路４００，４１０（図１参照）に代わって、インバータ４０４，４１４を備えている。インバータ４０４，４１４は、略同一の温度特性を有する半導体素子で構成されている。上記インバータ４０４，４１４は、ＦＭ変調信号に対して略同一のバッファ機能を有する。具体的には、インバータ４０４，４１４は、ＦＭ変調信号を子器１（図２参照）から入力し、入力されたＦＭ変調信号の振幅が小さい場合に、上記ＦＭ変調信号を増幅させて積分回路４０１，４１１に出力する。また、インバータ４０４，４１４は、容易にＩＣ化されている。具体的には、同一のＩＣパッケージ内に例えば３，４，６個と複数設けられるロジックＩＣが用いられている。同一のＩＣパッケージ内で近接するロジックＩＣ間の特性ばらつきが非常に小さいので、ＩＣパッケージの個体差や製造時期、ロット等が異なる場合とは異なり、ロジックＩＣの最大定格に相当するばらつきを見込む必要がなく、インバータ４０４，４１４の特性ばらつきを大幅に低減することができる。これにより、インバータ４０４とインバータ４１４との間に発生する温度変動を、ほぼ相殺することができる。なお、実施形態２の遅延回路４０ａ，４１ａは、上記以外の点において、実施形態１の遅延回路４０，４１（図１参照）と同様である。また、実施形態２のインターホンシステムの動作は、実施形態１のインターホンシステムの動作と同様である。
【００３１】
以上、実施形態２であっても、実施形態１と同様の効果を得ることができる。
【００３２】
なお、実施形態２の変形例として、各遅延回路は、インバータに代わって、バッファ回路やＸＯＲ回路等を備えてもよい。このような構成にしても、実施形態２と同様の効果を得ることができる。
【００３３】
また、実施形態２の他の変形例として、各遅延回路は、複数の論理回路を備える構成であってもよい。このような構成であっても、実施形態２と同様の効果が得ることができる。
【００３４】
（実施形態３）
本発明の実施形態３について図４を用いて説明する。図４は、実施形態３のＦＭ復調回路の要部構成を示すブロック図である。なお、図４のＡ１及びＡ２は、図１のＡ１及びＡ２で位相検波回路４２（図１参照）と接続する。
【００３５】
実施形態３のインターホンシステムは、実施形態１のインターホンシステムと同様に、子器１（図２参照）と、親機２（図２参照）とを備えている。実施形態２の親機２において、ＦＭ復調回路４ｂは、実施形態１のＦＭ復調回路４（図１参照）と同様に、位相検波回路４２（図１参照）と、ＬＰＦ回路４３（図１参照）とを備えているが、実施形態１のＦＭ復調回路４にはない以下に記載の特徴部分がある。
【００３６】
実施形態３のＦＭ復調回路４ｂは、図４に示すように、２つのＯＲ回路４００，４１０（図１参照）に代わって、１つのＯＲ回路４００ａを備えている。上記ＯＲ回路４００ａは、実施形態１のＯＲ回路４００，４１０と同様に、ＦＭ変調信号に対してバッファ機能を有する。具体的には、ＯＲ回路４００ａは、ＦＭ変調信号を子器１（図２参照）から入力し、入力されたＦＭ変調信号の振幅が小さい場合に、上記ＦＭ変調信号を増幅させて２つの積分回路４０１，４１１に分岐して出力する。ＯＲ回路４００ａを共通にすることにより、ＯＲ回路４００ａの温度変動の影響を低減することができる。なお、実施形態３のＦＭ復調回路４ｂは、上記以外の点において、実施形態１のＦＭ復調回路４（図１参照）と同様である。また、実施形態３のインターホンシステムの動作は、実施形態１のインターホンシステムの動作と同様である。
【００３７】
以上、実施形態３であっても、実施形態１と同様の効果を得ることができる。
【図面の簡単な説明】
【００３８】
【図１】本発明による実施形態１のＦＭ復調回路の構成を示すブロック図である。
【図２】同上のインターホンシステムの構成を示すブロック図である。
【図３】本発明による実施形態２のＦＭ復調回路の要部構成を示すブロック図である。
【図４】本発明による実施形態３のＦＭ復調回路の要部構成を示すブロック図である。
【図５】従来のＦＭ復調回路の構成を示すブロック図である。
【符号の説明】
【００３９】
４  ＦＭ復調回路
４０，４１  遅延回路
４００，４１０  ＯＲ回路
４０１，４１１  積分回路
４０３，４１３  遅延素子
４２  位相検波回路
４３  ＬＰＦ回路
【図１】
2006304218.tif 000003
【図２】
2006304218.tif 000004
【図３】
2006304218.tif 000005
【図４】
2006304218.tif 000006
【図５】
2006304218.tif 000007